(57)【要約】  追記型光ディスク、並びに追記型光ディスク上に管理情報を記録する方法、および装置を提供する。その方法は、開放型セッションの全ての開放型順次記録単位を閉じることにより開放型セッションを閉じること、新たな順次記録単位を有する新たなセッションを開くこと、およびセッション開始情報を記録媒体に記録することを含む。セッション開始情報は、新たな順次記録単位が新たなセッションの開始であるか否かを示す。
2007505433.tif 000002
【特許請求の範囲】
【請求項１】
少なくとも一つの順次記録単位よりなる開放型セッションを含む管理情報を記録媒体に記録する方法において、
前記開放型セッションを閉じるステップであって、前記開放型セッションを閉じるために、前記開放型セッションの全ての開放型順次記録単位を閉じることを含むステップと、
新たな順次記録単位を有する新たなセッションを開くステップと、
セッション開始情報を前記記録媒体に記録するステップであって、前記セッション開始情報は、前記新たな順次記録単位が前記新たなセッションの開始であるか否かを示すステップと
を備えたことを特徴とする方法。
【請求項２】
前記記録するステップにおいて、前記セッション開始情報は、前記新たな順次記録単位に関連付けられた順次記録単位情報エントリに記録されることを特徴とする請求項１に記載の方法。
【請求項３】
前記順次記録単位情報エントリは、前記記録媒体の一時ディスク管理領域に記録されることを特徴とする請求項２に記載の方法。
【請求項４】
前記セッション開始情報は、セッション開始フラグにより表されることを特徴とする請求項２に記載の方法。
【請求項５】
前記開放型セッションを閉じるステップは、
閉じられる少なくとも一つの開放型順次記録単位のうち、少なくとも一つの非記録クラスタをパディングするステップであって、前記少なくとも一つの非記録クラスタのそれぞれは、複数のセクタよりなるステップと、
前記パディングが行われたか否かを示すパディング識別情報を記録するステップと
をさらに備えたことを特徴とする請求項１に記載の方法。
【請求項６】
前記パディング識別情報は、複数のパディングフラグを含み、
前記パディングフラグのそれぞれは、前記セクタのそれぞれに関連し、関連セクタがパディングされたか否かを示すことを特徴とする請求項５に記載の方法。
【請求項７】
開放型順次記録単位の識別番号を、前記記録媒体の順次記録単位情報に記録するステップをさらに備えたことを特徴とする請求項１に記載の方法。
【請求項８】
前記開放型順次記録単位を閉じるステップにおいて、前記閉鎖型順次記録単位の識別番号は、前記順次記録単位情報から除去されることを特徴とする請求項７に記載の方法。
【請求項９】
前記新たな順次記録単位は、開始アドレスを有するが、終了アドレスは有さないことを特徴とする請求項１に記載の方法。
【請求項１０】
少なくとも一つのＳＲＲよりなる開放型セッションを含む管理情報を、記録媒体に記録する方法において、
前記開放型セッションを閉じるステップであって、前記開放型セッションを閉じるために、前記開放型セッションの全ての開放型ＳＲＲを閉じ、および前記開放型セッションの少なくとも一つの前記開放型ＳＲＲのうち、少なくとも一つの非記録単位をパディングすることを含むステップと、
どの単位がパディングされたかを示すパディング識別情報を記録するステップと
を備えたことを特徴とする方法。
【請求項１１】
前記パディング識別情報は、前記少なくとも一つの開放型ＳＲＲのセクタにそれぞれ割り当てられる複数のパディングフラグを含み、前記パディングフラグは、前記割り当てられたセクタがパディングされたか否かによって特定の値に設定されることを特徴とする請求項１０に記載の方法。
【請求項１２】
前記ＳＲＲのクラスタの３２個のセクタに、それぞれ対応する３２個のパディングフラグが存在することを特徴とする請求項１１に記載の方法。
【請求項１３】
全ての開放型ＳＲＲの識別番号を、前記記録媒体のＳＲＲＩに、記録するステップをさらに備えたことを特徴とする請求項１０に記載の方法。
【請求項１４】
前記開放型ＳＲＲを閉じるステップにおいて、前記閉鎖型ＳＲＲの識別番号は、前記ＳＲＲＩから除去されることを特徴とする請求項１０に記載の方法。
【請求項１５】
特定のＳＲＲがセッションの開始であるか否かを示すセッション開始情報を記録するステップをさらに備えたことを特徴とする請求項１０に記載の方法。
【請求項１６】
少なくとも一つの順次記録単位よりなる、開放型セッションであって、前記開放型セッションを閉じる場合、前記開放型セッションの全ての開放型順次記録単位が閉じられる、開放型セッションと、
新たな順次記録単位を有し、および前記開放型セッションが閉じられた後に生成される、新たなセッションと、
前記記録媒体に記録されるセッション開始情報であって、前記新たな順次記録単位は、前記新たなセッションの開始であるか否かを示すセッション開始情報と
を備えたことを特徴とする記録媒体。
【請求項１７】
前記セッション開始情報は、前記新たな順次記録単位に関連付けられた順次記録単位情報エントリに記録されることを特徴とする請求項１６に記載の記録媒体。
【請求項１８】
前記順次記録単位情報エントリは、前記記録媒体の一時ディスク管理領域に記録されることを特徴とする請求項１７に記載の記録媒体。
【請求項１９】
前記セッション開始情報は、セッション開始フラグにより表されることを特徴とする請求項１７に記載の記録媒体。
【請求項２０】
前記開放型セッションを閉じる場合、少なくとも一つの開放型順次記録単位のうち少なくとも一つの非記録クラスタがパディングされ、前記少なくとも一つの非記録クラスタのそれぞれは、複数のセクタよりなる前記記録媒体であって、
前記記録媒体は、前記パディングが行われたか否かを示すパディング識別情報を記録することを特徴とする請求項１６に記載の記録媒体。
【請求項２１】
前記パディング識別情報は、複数のパディングフラグを含み、
前記パディングフラグのそれぞれは、前記セクタのそれぞれと関連し、および前記関連するセクタがパディングされたか否かを示すことを特徴とする請求項２０に記載の記録媒体。
【請求項２２】
開放型順次記録単位の識別番号は、前記記録媒体の順次記録単位情報に記録されることを特徴とする請求項１６に記載の記録媒体。
【請求項２３】
前記開放型セッションを閉じる場合、前記閉鎖型順次記録単位の識別番号は、前記順次記録単位情報から除去されることを特徴とする請求項２２に記載の記録媒体。
【請求項２４】
前記新たな順次記録単位は、開始アドレスは有するが、終了アドレスは有さないことを特徴とする請求項１６に記載の記録媒体。
【請求項２５】
少なくとも一つのＳＲＲよりなる開放型セッションであって、前記開放型セッションを閉じる場合、前記開放型セッションの全ての開放型ＳＲＲは閉じられ、前記開放型セッションの少なくとも一つの前記開放型ＳＲＲのうち少なくとも一つの非記録単位がパディングされる、開放型セッションと、
前記記録媒体に記録され、どの単位がパディングされたかを示すパディング識別情報と
を備えたことを特徴とする記録媒体。
【請求項２６】
前記パディング識別情報は、前記少なくとも一つの開放型ＳＲＲのセクタにそれぞれ割り当てられる複数のパディングフラグを含み、前記パディングフラグは、前記割り当てられたセクタがパディングされるか否かによって特定の値に設定されることを特徴とする請求項２５に記載の記録媒体。
【請求項２７】
前記ＳＲＲのクラスタの３２個のセクタに、それぞれ対応する３２個のパディングフラグが存在することを特徴とする請求項２６に記載の記録媒体。
【請求項２８】
開放型ＳＲＲの識別番号は、前記記録媒体のＳＲＲＩに記録されることを特徴とする請求項２５に記載の記録媒体。
【請求項２９】
前記開放型ＳＲＲを閉じる場合、前記閉鎖型ＳＲＲの識別番号は、前記ＳＲＲＩから除去されることを特徴とする請求項２８に記載の記録媒体。
【請求項３０】
セッション開始情報は、前記記録媒体に記録され、および特定のＳＲＲがセッションの開始であるか否かを示すことを特徴とする請求項２５に記載の記録媒体。
【請求項３１】
ユーザデータを順次格納するための、一又は複数の記録単位を含む開放型セッションを有する記録媒体において、
前記記録媒体は、
どの記録単位が、開放されており、およびユーザデータを格納するために利用できるかを示す開放型記録単位情報であって、前記開放型セッションを閉じる場合、前記開放型セッションの全ての開放型記録単位が閉じられる開放型記録単位情報と、
前記開放型記録単位のそれぞれを閉じる場合、前記開放型記録単位の前記それぞれは、ダミーデータによりパディングされたか否かを示すパディング識別情報と
を備え、
前記記録媒体は、一つの開放型セッション、および所定数以下の開放型記録単位を有することを特徴とする記録媒体。
【請求項３２】
ユーザデータを順次格納するための、一又は複数の記録単位を含む開放型セッションを有する記録媒体を管理する方法において、
前記方法は、
どの記録単位が開放されており、前記ユーザデータを格納するために利用できるかを示す開放型記録単位情報を記録するステップであって、前記開放型セッションを閉じる場合、前記開放型セッションの全ての開放型記録単位が閉じられるステップと、
前記開放型記録単位のそれぞれを閉じる場合、前記開放型記録単位の前記それぞれは、ダミーデータによりパディングされたか否かを示す、パディング識別情報を記録するステップと
を備え、
前記記録媒体は、一つの開放型セッション、および所定数以下の開放型記録単位を有することを特徴とする方法。
【請求項３３】
少なくとも一つの順次記録単位よりなる開放型セッションを含む管理情報を、記録媒体に記録する装置において、
前記開放型セッションの全ての開放型順次記録単位を閉じることにより、前記開放型セッションを閉じ、前記開放型セッションが閉じられた後、新たな順次記録単位を有する新たなセッションを開き、前記新たな順次記録単位は、前記新たなセッションの開始であるか否かを示すセッション開始情報を前記記録媒体に記録する、記録／再生部を備えたことを特徴とする装置。
【請求項３４】
少なくとも一つのＳＲＲよりなる開放型セッションを含む管理情報を、記録媒体に記録する装置において、
前記開放型セッションの全ての開放型ＳＲＲを閉じ、および前記開放型セッションの少なくとも一つの前記開放型ＳＲＲのうち、少なくとも一つの非記録単位を、選択的にパディングすることにより、前記開放型セッションを閉じ、並びにどの単位がパディングされたかを示すパディング識別情報を記録する、記録／再生部を備えたことを特徴とする装置。
【発明の詳細な説明】
【技術分野】
【０００１】
本発明は追記型光ディスク、追記型光ディスク上に管理情報を記録する方法、並びに追記型光ディスクに記録と再生を行う方法、および装置に関する。
【背景技術】
【０００２】
光記録媒体として、大容量のデータを記録可能な光ディスクが幅広く使用されている。これらのうち、高精細度のビデオデータおよび高品質の音声データを長期に亘って記録し、格納するために、最近では、例えばブルーレイディスク（Blu-ray disc（登録商標））など、新たな高密度の光記録媒体（ＨＤ−ＤＶＤ）が開発されている。
【０００３】
ブルーレイディスクは、次世代のＨＤ−ＤＶＤ技術、および光記録ソリューションであり、既存のＤＶＤよりも多くのデータを格納する優れた性能を有する。最近、ＨＤ−ＤＶＤに関する国際標準の技術仕様が規定されている。これと関連し、追記型ブルーレイディスク（ＢＤ−ＷＯ）の多様な標準が、書き換え可能なブルーレイディスク（ＢＤ−ＲＥ）の標準に続いて作成されている。追記型ブルーレイディスク（ＢＤ−ＷＯ）の標準のうち、管理情報を記録する方法が論議されている。このような方法は、ディスクの記録状態を示す情報を記録する方法を含むが、これは、追記型光ディスクの特徴の一つである。ディスクの記録状態を示す情報により、ホストまたはユーザは、追記型光ディスク上の記録可能な領域を検索し易くなる。既存の追記型光ディスクにおいて、このような情報は様々な名前で命名されている。例えば、ＣＤの場合は、このような情報はトラック情報（track information）と命名され、ＤＶＤの場合は、このような情報はＲゾーン（ＲＺｏｎｅ）、またはフラグメント（fragment）と命名されている。
【発明の開示】
【発明が解決しようとする課題】
【０００４】
このため、高密度の光ディスクの記録状態に対応する管理情報を効率よく記録する方法への要求は、高まる一方である。相互の互換性を保証するために、このような方法は、標準化された情報とともに提供されなければならない。また、ディスク上に管理情報を記録する方法への要求もあり、これは、ブルーレイディスクだけではなく、欠陥管理を行う追記型の高密度光ディスクにも適用可能である。
【課題を解決するための手段】
【０００５】
本発明は、光ディスク、並びにディスク管理情報を記録する方法、および装置に関し、特に、ディスク記録状態情報を効率よく管理する方法、および装置に関する。これは、関連技術の限界、および短所に起因する、一又は複数の問題点を実質的に解決する。
【０００６】
本発明は、追記型光ディスク、並びにこのディスクに対するセッションの型およびＳＲＲ（Sequential Recording Ranges）を定義する方法、および装置を提供する。
【０００７】
本発明は、追記型光ディスクに適用可能なディスク記録状態情報としてのＳＲＲＩ（ＳＲＲ information）を記録する方法、および装置を提供する。
【０００８】
本発明の他の利点、目的および特徴は、後述する詳細な説明においてその一部が説明され、一部は、下記の内容を考察することにより、当業者に明らかとなり、本発明を実施することにより明らかになるだろう。また、本発明の目的、およびその他の利点は、添付図面だけではなく、本明細書に書かれている説明、および特許請求の範囲において特に指摘される構造によっても、実現し、達成することができる。
【０００９】
本発明についてのこれまでの通常の説明、および後述する詳細な説明は、例示的なもの、および説明のためのものであって、特許請求の範囲に記載されている発明のさらなる説明を提供しようとしていることを理解されたい。
【発明を実施するための最良の形態】
【００１０】
以下、本発明の好適な実施形態、すなわち、添付図面において説明される例についての言及を詳細に行う。同じ参照番号は、可能な限り、図面全体にわたって使用され、同じもの、または似た部分を指す。
【００１１】
説明の便宜上、追記型ブルーレイディスク（ＢＤ−ＷＯ）を例に説明する。本明細書におけるほとんどの用語は、広く知られている通常の単語であるが、発明者が選択して用いる一部の単語もあり、その意味は、対応する説明部分において詳述される。本発明は、これらの単語の単純な意味に基づいて理解されるべきではなく、これらの意味が話題にされる場合は、その単語に具体的に説明されている意味に基づいて理解されるべきである。
【００１２】
この明細書中、”ＳＲＲ（Sequential Recording Range）”とは、ディスクにデータを記録するために与えられる領域を意味し、順次記録のための記録単位（順次記録単位）である。ＳＲＲは、一又は複数のクラスタの大きさを有する。”ＳＲＲＩ（ＳＲＲ Information）”は、ディスクの記録状態を識別する情報に関する名称である。ＳＲＲＩは、ディスクの順次記録モードに適用され、一又は複数のＳＲＲに関連する。”パディング（Padding）”とは、ＳＲＲの未記録領域を、ユーザの要請により、または記録再生装置（図１２）の制御下で、ダミーデータや０で埋めることを意味する。”セッション（Session）”とは、一又は複数の連続するＳＲＲより成り、再生専用の仕様との互換性のためにＳＲＲを識別する。
【００１３】
図１は、ＢＤ−ＷＯなどの追記型光ディスクの構造、および本発明によるディスク管理情報の記録方法を説明する。図１に示すディスクは、例えば、単一の記録層を有する。しかしながら、本発明がこれらに制限されることはなく、二重の、または複数の記録層を有するディスクにも適用可能である。
【００１４】
図１を参照すると、ディスクは、リードイン（lead-in）領域、データ領域、およびリードアウト（lead-out）領域をいずれも記録層に含む。リードイン、およびリードアウト領域は、同じ欠陥管理情報を繰り返し格納する複数のディスク（または欠陥）管理領域（ＤＭＡ１−ＤＭＡ４）を有する。データ領域には、欠陥領域を置き換えるための内部予備領域（inner spare area）ＩＳＡ０、および／または外部予備領域（outer spare area）ＯＳＡ０が与えられる。
【００１５】
書き換え可能な光ディスクは、たとえディスクが限られた大きさのＤＭＡを有していたとしても、そのＤＭＡが繰り返して書き込み、および消去できるため、大きなＤＭＡを有さない、または必要にしないと知られている。このことは、ＢＤ−ＷＯなどの追記型光ディスクの場合には、事実ではない。追記型光ディスクは、一旦記録された領域上に再び記録することができないので、より大きな管理領域を必要とし、実際にこれを有する。より効率的に管理情報を格納するために、追記型光ディスクにおいては、管理情報はＴＤＭＡ（Temporary Disc Management Area：一時ディスク管理領域）に一時的に格納される。ディスクが終了され／閉じられようとする場合、最終／直近のＴＤＭＡに格納されている管理情報は、より恒久的な格納のためにＤＭＡに転送される。
【００１６】
図１に示すように、ディスクは、二つのＴＤＭＡ（ＴＤＭＡ０およびＴＤＭＡ１）を含む。ＴＤＭＡ０は、リードイン領域に割り当てられ、固定された不変の大きさを有する。ＴＤＭＡ１は、外部予備領域ＯＳＡ０に割り当てられ、予備領域の大きさにしたがって可変の大きさを有する。例えば、ＴＤＭＡ１の大きさＰは、Ｎが自然数である、Ｐ＝（Ｎ＊２５６）／４クラスタであってもよい。ここで、Ｐは全体の外部予備領域ＯＳＡ０の大きさの約１／４となる正数である。
【００１７】
ＴＤＭＡ０およびＴＤＭＡ１のそれぞれにおいて、ＴＤＦＬ（Temporary Defect List：一時欠陥一覧）情報、およびＴＤＤＳ（Temporary Disc Definition Structure：一時ディスク定義構造）情報（ＴＤＦＬ＋ＴＤＤＳ）は、共に、一つの記録単位（例えば、ＢＤ−ＷＯの場合の１クラスタ）に記録される可能性があり、またはＳＲＲＩ、およびＴＤＤＳ情報（ＳＲＲＩ＋ＴＤＤＳ）は、共に、図のように一つの記録単位に記録される可能性がある。ＳＲＲＩは、順次記録モードが用いられるときに記録されるのに対し、ＳＢＭ（Space Bit Map）は、ランダム記録モードが用いられるときに使用される。
【００１８】
それぞれの更新に際し、（ＴＤＦＳ＋ＴＤＤＳ）または（ＳＲＲＩ＋ＴＤＤＳ）は、１クラスタの大きさでＴＤＭＡに記録される。図１の例において、ＴＤＦＬおよびＴＤＤＳは、ＴＤＭＡ０の１クラスタに記録され、ＳＲＲＩおよびＴＤＤＳは、ＴＤＭＡ０の次のクラスタに記録され、ＳＲＲＩおよびＴＤＤＳは、ＴＤＭＡ０の次のクラスタに記録される。
【００１９】
データ領域内において欠陥領域が生じると、これを予備領域に置き換える処理が行われる。ＴＤＦＬは、このような処理を欠陥一覧として管理する情報である。単一層のディスクの場合、ＴＤＦＬは、欠陥一覧の大きさにしたがって１クラスタ〜４クラスタの大きさで記録される。ＳＲＲＩは、ディスクの特定の領域が記録されたか否かを知らせる情報である。ディスクが連続する記録型である場合、ＳＲＲＩは広く使用される可能性がある。すなわち、ＳＲＲＩは、ディスクが順次、または漸増的な記録方式にて記録される場合に有効である。さらに、ＴＤＤＳ情報は、通常、管理領域の１クラスタ内の３２セクタのうち最終のセクタに記録される。ディスクの一般管理、および欠陥管理のための情報は、ＴＤＤＳ情報の一部として記録され、ＴＤＤＳ情報は、通常、管理情報がＴＤＭＡ内において更新される場合、常に最後に記録される。
【００２０】
本発明は、ＢＤ−ＷＯなどの新しい高密度光ディスクに適用されるディスク記録状態情報を生成し、記録する方法に関する。本発明において、ＳＲＲＩは、ディスク記録状態情報として用いられ、様々な類型のＳＲＲは、図２Ａないし図３Ｅに示すように定義される。ＳＲＲＩの詳細な構造が、図５Ａないし図６Ｃを参照して述べられる。本発明はまた、ディスクに形成される異なる類型のＳＲＲを定義し、および区別し、並びにこれらを用いて光ディスクに記録、および再生を行う。以下、ＳＲＲの類型を新たに定義し、区別されたＳＲＲの類型を識別する情報を生成する方法について詳述する。
【００２１】
図２Ａないし図２Ｄは、本発明による追記型光ディスク（例えば、ＢＤ−ＷＯ）のための異なる類型の開放型ＳＲＲを説明する。開放型ＳＲＲは、データを記録可能なＳＲＲである。ＳＲＲが記録可能であれば、そのＳＲＲは、ＮＷＡ（Next Writable Address：次に記録可能なアドレス）を有する。このため、開放型ＳＲＲは、ＮＷＡを有するＳＲＲである。ＮＷＡがなく、記録ができないＳＲＲは、閉鎖型ＳＲＲと呼ばれる。閉鎖型ＳＲＲは、図３Ａないし図３Ｅを参照して後述する。
【００２２】
より具体的に言うと、図２Ａは、開放型ＳＲＲの一類型であるインビジブルＳＲＲ（invisible ＳＲＲ）を示す。インビジブルＳＲＲは、通常、常にディスクの最も外側のセクションまたは初期ブランクディスクに形成され、記録されていない領域を意味する。換言すると、インビジブルＳＲＲの開始アドレスだけが定義され、インビジブルＳＲＲの終了アドレスはユーザデータの終了を意味する。データが未だ記録されていないため、ＬＲＡ（Last Recorded Area：最終記録領域）は０値を有し、ＮＷＡはインビジブルＳＲＲの開始アドレスと同じ値を有する。
【００２３】
図２Ｂは、他の類型の開放型ＳＲＲとなる未完了ＳＲＲ（incomplete ＳＲＲ）を示す。未完了ＳＲＲは、図２ＡのインビジブルＳＲＲに部分的に記録されるＳＲＲである。換言すれば、未完了ＳＲＲの開始アドレスだけが定義され、未完了ＳＲＲの終了アドレスはユーザデータの終了を意味する。しかしながら、データが未完了ＳＲＲに部分的に記録されるため、未完了ＳＲＲのＬＲＡは、正常なユーザデータが記録される最終のアドレスを表し、ＮＷＡは、未完了ＳＲＲのＬＲＡに続く、次の書き込み可能なアドレスである。すなわち、ＮＷＡは、関連ＳＲＲにおいて次に使用可能な未記録クラスタの最初のＰＳＮである。
【００２４】
開放型ＳＲＲにおいて、ＳＲＲが部分的に記録された場合、ＬＲＡとＮＷＡとの間の関係を図２Ｂに示すパディングと関連して詳述する。図２Ｂに、点線部分の拡大図が、図面の下部に与えられている。
【００２５】
換言すると、ＬＲＡは、ユーザデータが実際に記録される領域を意味する。ユーザデータが３２個のセクタから成る、１クラスタにおける一部のセクタに記録されると、ユーザデータが記録される最終セクタのＰＳＮ（物理的なセクタ番号：Physical Sector Number）が、図２Ｂに示すようなＬＲＡとなる。しかしながら、ブルーレイディスクの基本記録単位はクラスタであるため、さらに記録可能な領域を表すＮＷＡは、後続するクラスタのヘッダセクタのＰＳＮである。このため、データがクラスタの一部のセクタに記録されて記録が完了すると（すなわち、順次記録が終了すると）、残りの未記録のセクタは、本発明にしたがって、ダミーデータでパディングされる。例えば、クラスタの残りの未記録セクタは、図示したように、０でパディングされる。クラスタの最終セクタにまで全てのユーザデータが記録されると、上述のパディングが不要になることは明らかである。
【００２６】
図２Ｃは、他の類型の開放型ＳＲＲである空きＳＲＲ（empty ＳＲＲ）を示す。図２Ａおよび図２ＢにおけるインビジブルＳＲＲおよび未完了ＳＲＲとは対照的に、空きＳＲＲは、通常、ディスクの最も外側のセクションではなく、ディスクの中間セクションに形成され、データを記録する。換言すると、ホスト、またはユーザがＳＲＲを作成するが、ＳＲＲにデータをまだ記録していない場合である。空きＳＲＲは、開始アドレス、および終了アドレスの両方を有するが、まだ記録されていないため、空きＳＲＲのＬＲＡは、”０”値を有し、ＮＷＡは空きＳＲＲの開始アドレスと同じ値を有する。
【００２７】
図２Ｄは、他の類型の開放型ＳＲＲである部分記録ＳＲＲ（partially recorded ＳＲＲ）を示す。部分記録ＳＲＲは、図２Ｃの空きＳＲＲに一部記録が行われるＳＲＲである。このため、部分記録ＳＲＲは、開始アドレス、および終了アドレスを有する。データは部分記録ＳＲＲにおいて部分的に記録されるため、部分記録ＳＲＲのＬＲＡは、正常なデータが記録される最終アドレスを表し、ＮＷＡは、ＬＲＡに続く書き込み可能なアドレスである。
【００２８】
図２Ｄの開放型ＳＲＲにおいて、ＳＲＲが部分的に記録されると、図２Ｄの点線部分の拡大図は、パディングと関連してＬＲＡとＮＷＡとの間の関係を示す。このような特徴の詳細な説明は、図２Ｂの説明と同じであるため、省略する。
【００２９】
このため、図２Ａないし図２Ｄを参照すると、本発明の開放型ＳＲＲは、未記録開放型ＳＲＲ（図２Ａおよび図２Ｃ）、および部分記録開放型ＳＲＲ（図２Ｂおよび図２Ｄ）に分類される。部分記録開放型ＳＲＲ（図２Ｂおよび図２Ｄ）は、ＬＲＡに続いてパディングされた開放型ＳＲＲ、および未パディングの開放型ＳＲＲに分類される。
【００３０】
本発明によれば、任意の時間における開放型ＳＲＲの総数は、開放型ＳＲＲの数が増えると管理に難点があるため、追記型光ディスクに対する所定の数に限られる。例えば、ディスク上の開放型ＳＲＲの総数は、本発明のＢＤ−ＷＯにおいては、最大１６個である。開放型ＳＲＲの位置、および数に関する情報は、ＳＲＲＩのヘッダの”開放型ＳＲＲの一覧”フィールド、および”開放型ＳＲＲの数”フィールドを用いて参照可能である。ＳＲＲＩのヘッダの”開放型ＳＲＲの一覧”フィールド、および”開放型ＳＲＲの数”フィールドは、図５ないし図６Ｃを参照してＳＲＲＩ構造が論議されるときに後述する。
【００３１】
図３Ａないし図３Ｅは、本発明によるＢＤ−ＷＯなどの追記型光ディスクの、異なる類型の閉鎖型ＳＲＲを説明する。閉鎖型ＳＲＲは、データ（例えば、ユーザデータ）が記録できないＳＲＲである。ＳＲＲが記録できなければ、ＳＲＲはＮＷＡを有さない。閉鎖型ＳＲＲが作成されうるのは、ＳＲＲが完全に記録されるからである。また、閉鎖型ＳＲＲが作成されうるのは、ＳＲＲに記録可能な領域が残っていても、ユーザ、またはホストが閉鎖指令によりＳＲＲを閉じるからでもある。
【００３２】
具体的には、図３Ａは、閉鎖型ＳＲＲの一類型である空きＳＲＲ（empty ＳＲＲ）を示す。空きＳＲＲは、ユーザデータの記録が全くなく、閉鎖指令により閉じられる開放型空きＳＲＲ（図２Ｃ）である。このため、図３Ａは、閉鎖型空きＳＲＲを示し、図２Ｃは、開放型空きＳＲＲを示す。
【００３３】
図３Ｂは、閉鎖型ＳＲＲの他の類型である部分記録ＳＲＲ（partially recorded ＳＲＲ）を示す。図３Ｂの部分記録ＳＲＲは、追加のユーザデータの記録が全くなく、閉鎖指令により閉じられる図２Ｄの開放型部分記録ＳＲＲである。このため、図３Ｂは、閉鎖型部分記録ＳＲＲを示し、図２Ｄは、開放型部分記録ＳＲＲを示す。
【００３４】
図３Ｃは、閉鎖型ＳＲＲの他の類型である完了ＳＲＲ（complete ＳＲＲ）を示す。完了ＳＲＲは、ＳＲＲにユーザデータが完全に記録されるＳＲＲ、または、ダミーデータにより完全にパディングされたＳＲＲである。完了ＳＲＲは、閉鎖型ＳＲＲ中にのみ存在する。
【００３５】
図３Ｄは、閉鎖型ＳＲＲの他の類型である閉鎖型部分記録ＳＲＲ（closed partially recorded ＳＲＲ）を示す。図３Ｄの部分記録ＳＲＲは、図２Ｄの開放型部分記録ＳＲＲを閉じるとき、そのＬＲＡに続く記録可能な領域にダミーデータがパディングされたＳＲＲである。ここで、そのＬＲＡまたはＮＷＡに続く、ＳＲＲの全ての記録可能な領域、または一部の記録可能な領域（例えば、一又は複数のクラスタ）だけが、パディングデータとして用いられるダミーデータによりパディング可能である。また、一部の領域がパディングされるとき、ＳＲＲが閉じられることを表すために、ダミーデータを記録する代わりに、ＡＳＣＩＩ文字など特定の文字コードがパディングデータとして記録されることがある。この場合、パディングデータとして用いられる特定の文字コードは、対応ＳＲＲが閉じられることを表す”ＣＬＳＤ”などの文字であっても良い。
【００３６】
図３Ｅは、閉鎖型ＳＲＲの他の類型である空きＳＲＲ（empty ＳＲＲ）を示す。図３Ｅの空きＳＲＲは、図２Ｃの開放型空きＳＲＲを閉じるとき、そのＬＲＡに続く記録可能な領域に特定のダミーデータがパディングされ、閉じられるＳＲＲである。ここで、そのＬＲＡまたはＮＷＡに続くＳＲＲの全ての記録可能な領域または一部の記録可能な領域（例えば、一又は複数のクラスタ）だけが、パディングデータとして用いられるダミーデータによりパディング可能である。また、一部の領域がパディングされるときに、ＳＲＲが閉じられることを表すために、ダミーデータを記録する代わりに、ＡＳＣＩＩ文字など特定の文字コードがパディングデータとして記録されることもある。この場合、パディングデータとして用いられる特定の文字コードは、対応ＳＲＲが閉じられることを表す”ＣＬＳＤ”などの文字であっても良い。
【００３７】
図３Ｄおよび図３Ｅにおける閉鎖型ＳＲＲが、終了アドレスまでダミーデータにより完全にパディングされた場合、図３Ｄおよび図３Ｅの閉鎖型ＳＲＲは、図３Ｃを参照して上述された完了ＳＲＲと同じＳＲＲである。換言すると、本発明において、閉鎖型ＳＲＲの類型の判定に当たって、パディングなしでＳＲＲの残りの未記録領域を閉じる場合（図３Ａおよび３Ｂ）を、開放型ＳＲＲが閉鎖指令により閉鎖型ＳＲＲに変わるとき、ＳＲＲの残りの未記録領域をパディングして閉じる場合（図３Ｄおよび図３Ｅ）と区別するために閉鎖型ＳＲＲが定義される。
【００３８】
また、本発明においては、ＳＲＲを閉じるとき、パディング無しでＳＲＲを閉じること、または特定のパディングデータによりパディングした後、ＳＲＲを閉じることは可能である。ブルーレイディスクは、たとえＳＲＲであっても、または未記録領域がパディングされているとしても、同じ系列の再生専用ディスクと互換可能であると考えられる。記録／再生装置（例えば、図１２に示すように）は、ディスクを選択的にパディングすることができ、記録／再生装置の設計自由度は一層確保される。ディスクをパディングするとき、記録／再生装置の記録／再生部（例えば、図１２のコンポーネント１０など）は、特定のデータを自動的に記録することができ、コンポーネント１０は、制御器２０から特定のデータを受け取り、パディングの場合に、時間の問題点を解消することができる。
【００３９】
図４Ａおよび図４Ｂは、本発明の実施形態により、追記型光ディスクの閉鎖型ＳＲＲおよび開放型ＳＲＲにそれぞれダミーデータをパディングするときのパディング識別情報の例を示す。パディングは、開放型ＳＲＲを閉じるとき、開放型ＳＲＲに行われる。しかしながら、ＳＲＲを閉じるために必ずしも必要とはしない指令に応答して開放型ＳＲＲに行われても良い（例えば、図２Ｂおよび２Ｄの場合）。すなわち、図４Ａは、図２Ｂまたは図２Ｄと関連し、図４Ｂは、図３Ｄまたは図３Ｅと関連する。
【００４０】
より具体的には、図４Ａは、開放型ＳＲＲの場合、実際のユーザデータが１クラスタの一部の領域にのみ記録され、そのクラスタの残りの領域はダミーデータによりパディングされる場合を示す。図４Ａは、実際のユーザデータが記録されるセクタを、ダミーデータによりパディングされたセクタと区別するための、パディング識別情報”Ｐａｄｄｉｎｇ＿ｆｌａｇ（パディングフラグ）”が、対応クラスタに制御データとして設定されたことを示す。クラスタの３２個のセクタに、それぞれ対応する３２個のＰａｄｄｉｎｇ＿ｆｌａｇが存在する。
【００４１】
図４Ａに示すように、本例においては、セクタ０−セクタ２９はユーザデータが記録される領域であるために、このセクタのそれぞれに対するＰａｄｄｉｎｇ＿ｆｌａｇは、例えば”０ｂ”など特定の値に設定され、対応セクタにパディングが存在しないことを示す。一方、セクタ３０およびセクタ３１は、パディングデータによりパディングされる領域であるため、このセクタのそれぞれに対するＰａｄｄｉｎｇ＿ｆｌａｇは、”１ｂ”などの値に設定され、対応セクタにパディングが存在することを示す。
【００４２】
本例においては、ＬＲＡはセクタ２９の位置（第１のＰＳＮ）を表す。このため、光記録／再生装置は、ＬＲＡを含むクラスタをデコードすることができ、セクタのそれぞれに対応するＰａｄｄｉｎｇ＿ｆｌａｇを読み取ることができ、クラスタにおいてユーザデータが記録されるセクタを、ダミーデータによりパディングされたセクタと正確に区別することができる。
【００４３】
図４Ｂは、ＳＲＲにおいて記録可能な領域の特定のクラスタが、ＳＲＲを閉じる場合、ダミーデータにより完全にパディングされることを示す。図４Ｂは、パディング無しで閉じられたＳＲＲを、パディング後に閉じられたＳＲＲと区別するためのパディング識別情報”Ｐａｄｄｉｎｇ＿ｆｌａｇ”が、対応クラスタに制御フラグとして設定されたことを示す。
【００４４】
図４Ｂに示すように、この例においては、セクタ０〜セクタ３１がダミーデータにより完全にパディングされるため、Ｐａｄｄｉｎｇ＿ｆｌａｇは、全てのセクタに対して”１ｂ”などの特定の値に設定される。結果的に、光記録／再生装置は、上述の如きパディング識別情報（Ｐａｄｄｉｎｇ＿ｆｌａｇ）を有するクラスタをデコードすることができ、セクタのそれぞれに対応するＰａｄｄｉｎｇ＿ｆｌａｇを読み取ることができ、クラスタの全てのセクタがダミーデータによりパディングされたことを正確に認識することができる。
【００４５】
換言すると、図４Ａは、ディスク上の順次記録を終了するためのパディングに関連し、図４Ｂは、ＳＲＲを閉じるためのパディングに関連する。図４Ａは、順次記録が終了するとき、関連クラスタの全ての残りのセクタが、ダミーデータによりパディングされることを示す。それぞれのパディングフラグは、クラスタの各セクタに対応し、対応セクタがパディングされると”１ｂ”に設定される。図４Ａの場合、パディングは１回につき１セクタにおいて発生する。一方、図４Ｂの場合、ＳＲＲを閉じるとき、一又は複数のクラスタ（１回につき１クラスタ）がパディングされる。１クラスタのパディングのために、そのクラスタの３２個のセクタに対応する３２個のパディングフラグが、何れも”１ｂ”に設定され、そのクラスタのパディングが図４Ｂのようになることを示す。
【００４６】
図４Ｃは、本発明の実施形態による、追記型光ディスクのセッションの一例を説明する。”セッション”は、ＳＲＲなどの下位レベルの記録単位に比べて上位レベルの記録単位であり、少なくとも一つのＳＲＲを含む。ディスクには複数のセッションが記録されることがあり、このようなディスクは、マルチセッションディスクと呼ばれる。図４Ｃを参照し、本発明のセッションの概念を説明する。
【００４７】
先ず、本発明の複数のセッションが、ディスクの内部トラックからディスクの外部トラックに向けて割り当てられ、これらのセッションにはセッション番号が順次に付される。複数のセッションが存在したとしても、ディスクには所定の時間に一つの開放型セッションだけが存在する。この開放型セッションは、セッション番号が既存のセッションのうち最も高いセッションである。換言すれば、所定の時間に最も外側のトラックに形成されるセッションは、記録可能なセッションであり、開放型セッションと呼ばれる。記録が完了するか、または閉鎖指令が受信されるとき、現在の開放型セッションは閉じられて閉鎖型セッションとなる。閉鎖型セッションの全てのＳＲＲも同様に閉じられて閉鎖型ＳＲＲとなる。ここで、閉じられるセッションがインビジブルＳＲＲを含む場合、対応インビジブルＳＲＲは閉じられるものから除かれ、残りのＳＲＲだけが閉じられる。除かれたインビジブルＳＲＲは、新たな開放型セッションとして形成される。図４Ｃにおいては、例えば、セッション＃１が閉鎖型セッションを表し、セッション＃２は開放型セッションを表す。セッション＃１は、ＳＲＲ＃１とＳＲＲ＃２よりなるのに対し、セッション＃２は、ＳＲＲ＃３、ＳＲＲ＃４、ＳＲＲ＃５などよりなる。
【００４８】
セッションが閉じられ、かつ、ＳＲＲも閉じられるとき、ＳＲＲは、上述したように、パディング後、またはパディングなしで閉じることができる。パディングが存在するか否かの識別は、”Ｐａｄｄｉｎｇ＿ｆｌａｇ”により行われる。未完了ＳＲＲが閉じられるときにＳＲＲの記録領域だけが閉じられ、ＳＲＲの非記録領域はインビジブルＳＲＲに変わって、新たな開放型セッションを形成する。
【００４９】
あるセッションとこれに隣り合う他のセッションとの間には、特別なバッファ領域が存在しない。その代わりに、ＳＲＲＩの”セッション開始ビット”が与えられ、対応ＳＲＲがセッションの開始であるか否かを示す。セッション開始ビットは、ＳＲＲＩの構造の説明に当たって詳細に後述する。また、複数のＳＲＲが、開放型セッション（例えば、図４Ｃのセッション＃２）に存在することもあるが、そのセッションの全てのＳＲＲが、開放型ＳＲＲである必要はなく、少なくとも一つの開放型ＳＲＲが、開放型セッションに存在するだけで十分である。図４Ｃにおいて、開放型セッション＃２のＳＲＲ＃３および＃５は開放型ＳＲＲであり、ＳＲＲ＃４は閉鎖型ＳＲＲである。
【００５０】
図５ないし図６Ｃは、本発明によるＳＲＲＩの構造、およびＳＲＲＩに含まれる情報を説明する。
【００５１】
特に、図５は、ＳＲＲＩの全体の構造を説明する。ＳＲＲＩは、一又は複数のＳＲＲに関連し、ディスク記録状態を提供する管理情報である。ＳＲＲＩは、図１および図５の光ディスク構造におけるＴＤＭＡ（例えば、ＴＤＭＡ０）に記録される。図５に示すように、ＴＤＭＡの各ＳＲＲＩ６０は、三つの部分（ヘッダ５０、ＳＲＲエントリ一覧（List of SRR entries）３０およびＳＲＲ一覧終結子（SRR List Terminator）４０）より成る。ヘッダ５０は、ＳＲＲＩを識別する。ＳＲＲエントリ一覧３０は、対応ＳＲＲのそれぞれの記録状態を表す。ＳＲＲ一覧終結子４０は、ＳＲＲＩの終端、または末端を示す。
【００５２】
ヘッダ５０は、ＳＲＲＩのヘッダに位置付けられ、”ＳＲＲＩ構造識別子（SRRI Structure identifier）”フィールド５１、”開放型ＳＲＲの一覧（List of opened SRRs）”フィールド５２、”ＳＲＲエントリの数（Number of SRR entries）”フィールド５３、および”開放型ＳＲＲの数（Number of opened SRRs）”フィールド５４を含むため、ＳＲＲエントリ一覧が読み取られる前に全体のＳＲＲエントリの内容をチェックすることができる。ここで、”ＳＲＲＩ構造識別子”フィールド５１は、ＳＲＲＩを識別する。”開放型ＳＲＲの一覧”フィールド５２は、対応ＳＲＲＩに関連付けられた開放型ＳＲＲの位置（識別表示）を知らせるものであり、図６Ｃを参照してさらに詳述する。”ＳＲＲエントリの数”フィールド５３は、ＳＲＲＩ６０に関連付けられた全てのＳＲＲの総数を表す。”開放型ＳＲＲの数”フィールド５４は、開放型ＳＲＲの総数を表す。
【００５３】
ヘッダ５０に続き、ＳＲＲエントリ一覧５０がＳＲＲＩに記録される。最終のＳＲＲエントリに続き、ＳＲＲＩの終了はＳＲＲ一覧終結子４０により示される。ＳＲＲ一覧終結子４０は、ＳＲＲＩが可変長である場合、対応ＳＲＲＩの終了位置を示す情報として重要である。
【００５４】
このため、ディスク管理情報として、ＳＲＲＩは、ヘッダ５０、ＳＲＲエントリ一覧３０、およびＳＲＲ一覧終結子４０より成る。これらの全ての情報は、更新されるたびに一括記録される。
【００５５】
図６Ａは、本発明による、ＳＲＲＩに記録されるＳＲＲエントリ一覧３０の例を説明する。図６Ａに示すように、ＳＲＲエントリ一覧は、一又は複数のＳＲＲエントリ３５より成る。ＳＲＲエントリ３５のそれぞれは、ディスク上に一つのＳＲＲに関する情報（ＳＲＲ番号により識別される）を有し、８バイト（６４ビット）の大きさを有し、対応ＳＲＲの記録状態を表す。各ＳＲＲエントリ３５は、対応ＳＲＲの状態を格納するための状態フィールド３１（状態１）、対応ＳＲＲの開始アドレスを格納するための開始アドレスフィールド３２、対応ＳＲＲの状態を格納するためのもう一つの状態フィールド３３（状態２）、および対応ＳＲＲのＬＲＡ（すなわち、ＳＲＲに格納されたユーザデータの終了アドレス）を格納するためのＬＲＡフィールド３４を含む。通常、開始アドレスフィールド３２の対応ＳＲＲの開始アドレスは、ＰＳＮ（Physical Sector Number）として表される。
【００５６】
一実施形態によれば、ＳＲＲエントリ３５の６４ビットのうち、最初の四つの最上位ビット（ＭＳＢ：Most Significant Bits）（ｂ６３−ｂ６０）が第１の状態フィールド３１に割り当てられ、ＳＲＲエントリ３５の次の２８ビット（ｂ５９−ｂ３２）が開始アドレスフィールド３２に割り当てられ、ＳＲＲエントリ３５の次の４ビット（ｂ３１−ｂ２８）が第２の状態フィールド３３に割り当てられ、ＳＲＲエントリ３５の最後の２８ビット（ｂ２７−ｂ０）がＬＲＡフィールド３４に割り当てられる。
【００５７】
図６Ｂは、本発明による、ＳＲＲエントリ一覧３０に記録されたＳＲＲエントリ３５の一例を説明する。状態１フィールド３１は、対応ＳＲＲにパディングが行われるか否かを識別する情報を格納するために用いられる。状態２フィールド３３は、対応ＳＲＲがセッションの開始であるか否かを識別する情報を格納するために用いられる。
【００５８】
図６Ｂに示すように、状態１フィールド３１に割り当てられる四つの先頭ビットのうち一つのビットは、パディングが存在するか否かを識別するパディング識別情報”Ｐ＿ｆｌａｇ”を格納するために用いられる。四つの先頭ビットのうち残りの三つのビットは、任意の調整変化に対応するための予備である。
【００５９】
ＳＲＲエントリに記録されるパディング識別情報”Ｐ＿ｆｌａｇ”は、図４Ａおよび図４Ｂを参照して述べられたパディング識別情報”Ｐａｄｄｉｎｇ＿ｆｌａｇ”に類似していることに注目する必要がある。しかし、これらは異なる目的を有する。特定のＳＲＲが最後にパディングされると、Ｐ＿ｆｌａｇがＳＲＲエントリに記録され、対応ＳＲＲがパディングされたＳＲＲであることを直接表す。このため、光記録／再生装置（図１２）は、ＳＲＲエントリに管理情報として記録されたＰ＿ｆｌａｇを調べることにより、対応ＳＲＲがパディングされたか否かを容易に調査することができる。その後、光記録／再生装置は、図４Ａおよび図４Ｂを参照して上述した対応クラスタ（ＳＲＲ）をデコードし、ＳＲＲの各セクタに対応するＰａｄｄｉｎｇ＿ｆｌａｇの値をクラスタから読み取って、いかに多くのＳＲＲがそのＬＲＡに続いてパディングされたかを判定することができる。
【００６０】
図６Ｂの例において、状態１フィールド３１の第１のビット（３１ａ）はＰ−ｆｌａｇを有し、フィールド３１の残りの３ビット（３１ｂ）は、予備である。Ｐ＿ｆｌａｇ＝１ｂであれば、対応ＳＲＲがパディングされたＳＲＲであること（すなわち、ＳＲＲは、パディングデータによりパディングされた少なくとも一部を有する）を意味する。Ｐ＿ｆｌａｇ＝０ｂであれば、対応ＳＲＲがパディングされていないＳＲＲであることを意味する。
【００６１】
四つのビットが割り当てられた状態２フィールド３３は、対応ＳＲＲがセッション開始ＳＲＲであるか否かに関する情報を有する。４ビットのフィールド３３のうち１ビットは、対応ＳＲＲがセッションの開始ＳＲＲであるか否かを識別するセッション識別情報”Ｓ＿ｆｌａｇ”を有する。フィールド３３の残りの３ビットは、任意の調整変化に対応するための予備である。
【００６２】
換言すると、Ｓ＿ｆｌａｇは、上記の”セッション開始ビット（session start bit）”である。例において、４ビットのフィールド３３の最初のビット（３３ａ）は、Ｓ＿ｆｌａｇを格納し、残りの３ビット（３３ｂ）は、予備である。Ｓ＿ｆｌａｇ＝１ｂであれば、対応ＳＲＲがセッションの開始ＳＲＲであることを意味する。Ｓ＿ｆｌａｇ＝０ｂであれば、対応ＳＲＲがセッションの開始ＳＲＲではないことを意味する。
【００６３】
Ｓ＿ｆｌａｇを用いてセッションの開始を識別する理由は、セッションを区別するために付加的な領域（例えば、ボーダーイン／ボーダーアウト）を割り当てるＤＶＤなどの既存のディスク構造との互換性に備えるためである。しかしながら、付加的な領域の割り当ては、ディスク全体の記録容量を減らす。このように、本発明は、ＳＲＲエントリ３５にセッション識別情報（Ｓ＿ｆｌａｇ）を与えることにより、このような限界を克服する。このため、このようなセッション区別情報を格納するために付加的な領域を割り当てる必要がなく、ＳＲＲエントリ３５のセッション識別情報Ｓ＿ｆｌａｇを用いて、ディスク全体のセッション構造が容易に認識可能である。
【００６４】
本発明の説明の便宜上、Ｐ＿ｆｌａｇおよびＳ＿ｆｌａｇは、ＳＲＲエントリの別個の状態フィールドに格納される別個の状態情報として述べられているが、ＳＲＲエントリの一つの状態フィールドにともに格納できる。
【００６５】
ＳＲＲエントリ３５のＬＲＡフィールド３４は、対応ＳＲＲに記録されたユーザデータの終了アドレス（ＬＲＡ）を記録するためのフィールドであり、対応ＳＲＲに記録されたユーザデータ（パディングデータは除く）の終了アドレスを格納する。
【００６６】
図６Ｃは、本発明の実施の形態により図５のＳＲＲＩの”開放型ＳＲＲの一覧”フィールド５２の詳細な構造を説明する。フィールド５２に格納された情報は、それぞれの開放型ＳＲＲの位置／識別表示を判定するために用いられる。図６Ｃに示すように、一又は複数の開放型ＳＲＲ番号が、”開放型ＳＲＲの一覧”フィールド５２に、開放型ＳＲＲの位置情報として記録される。特定のＳＲＲを識別する開放型ＳＲＲ番号を記録するために２バイトが割り当てられる。
【００６７】
本発明において、ディスクに最大限１６個の開放型ＳＲＲが存在すると、対応する開放型ＳＲＲ（および開放型ＳＲＲエントリ）の位置（識別表示）が、各開放型ＳＲＲ番号を通じて記録される。このため、本発明のディスク構造を有する光ディスクをロードするとき、記録／再生装置は、本発明の開放型ＳＲＲＩに基づいて、ディスクの記録可能な領域（ＮＷＡ）の位置を判定することができる。換言すると、現在のディスク上の開放型ＳＲＲの位置は、データを記録するために知られるべきである。対応ＳＲＲが開放型ＳＲＲであるか、或いは閉鎖型ＳＲＲであるかを識別する情報は、ＳＲＲエントリに特に与えられていないため、開放型ＳＲＲの識別表示／位置がＳＲＲＩのヘッダに記録されて容易にアクセス可能であり、光記録／再生装置が、識別された開放型ＳＲＲと関連付けられたＳＲＲエントリを容易に読み取ることができる。
【００６８】
このため、”開放型ＳＲＲの一覧”フィールド５２に記録されたＳＲＲ番号を有するＳＲＲだけが、開放型ＳＲＲとしてさらに記録できる。その後、ＳＲＲが閉鎖型ＳＲＲに変わると、閉鎖型ＳＲＲのＳＲＲ番号は”開放型ＳＲＲの一覧”フィールド５２から除去されて、開放型ＳＲＲと閉鎖型ＳＲＲを容易に区別可能になる。
【００６９】
以下、本発明により、ディスク記録状態を表すＳＲＲＩを更新する方法を説明する。具体的には、ＳＲＲおよびセッションを開放する方法、および閉じる方法、ＳＲＲをダミーデータによりパディングする方法、ＳＲＲＩを記録する方法を、図７Ａないし図１１Ｂを参照して述べる。
【００７０】
図７Ａないし図１１Ｂは、ディスクの記録状態により、本発明の追記型光ディスクにＳＲＲＩを記録する方法を順次に説明する。さらに具体的に言うと、図７Ａないし図１１Ｂは、ディスク上の異なる類型のＳＲＲ（図２Ａないし図３Ｅ参照）がどのように作成されるのか、および時間の流れにしたがって行われる、順次段階を用いてＳＲＲＩを記録する方法を、順に示す。この方法は、図１ないし図６Ｃと関連して述べられたＳＲＲを有するＢＤ−ＷＯ、ＳＲＲＩおよびディスク構造などの追記型光ディスクに実装される。
【００７１】
図７Ａは、ディスクの全領域が初期ブランクディスクとして記録可能な段階１を示し、太い矢印により示された部分はＮＷＡの位置を示す。ディスクの開始位置は、ＮＷＡである。ここで、一つのＳＲＲ（ＳＲＲ＃１）だけがディスクに存在する。これは、図２Ａに示すインビジブルＳＲＲである。このため、セッションは、一つの開放型セッション＃１だけが存在するディスクの初期状態にある。ディスクは、ブランクディスクであり、ＳＲＲＩは、ディスクにまだ記録されていない。
【００７２】
図７Ｂは、図７Ａのブランクディスクにデータ（例えば、ユーザデータ）が一部記録されるが、セッション＃１がまだ閉じられていない段階２を示す。ここで、一つのＳＲＲ（ＳＲＲ＃１）だけがディスクに存在し、これは、図２Ｂに示す未完了ＳＲＲである。セッション＃１は、開放型セッションとして保持される。図７Ｂに示すように、ユーザデータは、未完了ＳＲＲ＃１の一部に記録され、ＳＲＲ＃１（クラスタ）の非記録部分（例えば、セクタ）は、ダミーデータによりパディングされる。上述したように、ＳＲＲのパディングされたセクタは、”Ｐａｄｄｉｎｇ＿ｆｌａｇ＝１ｂ”として示され、クラスタの指定領域、例えば、クラスタ／ＳＲＲ＃１のパディングされたセクタ内に記録される。
【００７３】
図７Ｃは、ディスクが図７Ｂの状態にあるとき、ディスクの管理領域にＳＲＲＩを記録する処理を説明する。説明の便宜上、図１および図５に示すディスク構造、およびＳＲＲＩ構造の異なる全てのコンポーネントのうち一部だけが示される。例えば、（ＳＲＲＩ＋ＴＤＤＳ）または（ＴＤＦＬ＋ＴＤＤＳ）は、上述したように、ディスクのＴＤＭＡ０などのＴＤＭＡの各クラスタに記録されるが、図７ＣのＴＤＭＡ０にはＳＲＲＩだけが示され、ＴＤＦＬおよび／またはＴＤＤＳは、説明の便宜上省くこととする。また、図５に示すＳＲＲＩの異なるフィールドのうち、”開放型ＳＲＲの一覧”フィールド５２、および”ＳＲＲエントリの一覧”フィールド３０だけが示される。
【００７４】
図７Ｃのディスクの記録状態は、一つの開放型ＳＲＲ（ＳＲＲ＃１）だけが図７Ｂのように全てのディスク領域に存在する場合である。図７Ｃに示すように、未完了ＳＲＲ＃１が図７Ｂのようにセッションを閉じることなく形成されるとき、ＳＲＲ＃１と関連するＳＲＲＩ＃１（６０ａ）が生成され、ＴＤＭＡ０に記録される。ＳＲＲＩ＃１（６０ａ）においては、開放型ＳＲＲ＃１のＳＲＲの番号（ＳＲＲ＃１）が、”開放型ＳＲＲの一覧”フィールド５２ａに記録される。ＳＲＲＩ＃１（６０ａ）の”ＳＲＲエントリの一覧”フィールド３０ａには、ＳＲＲ＃１に関連する一つのＳＲＲエントリ３５ａだけが存在する。ＳＲＲエントリ３５ａ（または後述するＳＲＲエントリ３５ｂ−３５ｐ）は、上記の図６Ａおよび図６ＢのＳＲＲエントリ構造を有する。
【００７５】
ＳＲＲエントリ３５ａには、ＳＲＲ＃１の一部が完全にパディングされるため、Ｐ＿ｆｌａｇは、対応ＳＲＲ＃１の状態情報として”１ｂ”に設定される。ＳＲＲ＃１は、開放型セッション＃１の開始ＳＲＲであるため、Ｓ＿ｆｌａｇは、対応ＳＲＲ＃１の状態情報として”１ｂ”に設定される。
【００７６】
図８Ａは、図７Ｂの段階２において、セッション閉鎖指令が受信され、実行される段階３を示す。セッション閉鎖指令に応答して、ユーザデータが記録される領域は、独立した閉鎖型ＳＲＲに分割され、ユーザデータ記録領域に後続する領域に新たなセッションが生成される。例えば、図８Ａに示すように、段階２においてユーザデータで完全に記録される領域の一部が完了ＳＲＲ＃１（閉鎖型ＳＲＲ）となり、これは、さらに閉鎖型セッション＃１を構成する。また、非記録領域は、インビジブルＳＲＲ＃２（開放型ＳＲＲ）となり、これは、さらに同時に開放型セッション＃２を形成する。
【００７７】
図８Ｂは、図８Ａのディスク状態に関連するディスクの記録状態（ＳＲＲＩ）を記録する処理を説明する。このＳＲＲＩは、２番目に記録されるＳＲＲＩであるため、ＳＲＲＩ＃２（６０ｂ）と命名される。ＳＲＲＩ＃２（６０ｂ）は、ＴＤＭＡ０においてＳＲＲＩ＃１（６０ａ）に続いて記録される。図８Ａのディスク状態を記録するために、ディスク全体の領域は、一つの開放型ＳＲＲ（ＳＲＲ＃２）および一つの閉鎖型ＳＲＲ（ＳＲＲ＃１）だけを有するため、開放型ＳＲＲ＃２のＳＲＲ番号が、ＳＲＲ＃２（６０ｂ）の”開放型ＳＲＲの一覧”フィールド５２ｂに記録され、ＳＲＲ＃１およびＳＲＲ＃２に関する情報がＳＲＲＩ＃２（６０ｂ）の”ＳＲＲエントリの一覧”フィールド３０ｂに、それぞれＳＲＲエントリ３５ｂおよび３５ｃとして記録される。図８Ｂ（および他の図面）において陰影表示されたＳＲＲエントリ（例えば、３５ｂ）は、閉鎖型ＳＲＲエントリであることを示す。このため、新たに生成されたＳＲＲ＃２にユーザデータがまだ記録されていないため、ＳＲＲ＃２エントリ（３５ｃ）のＰ＿ｆｌａｇは、”０ｂ”に設定される。ＳＲＲ＃２は、開放型セッション＃２の開始ＳＲＲであるため、ＳＲＲ＃２エントリ（３５ｃ）のＳ＿ｆｌａｇは、”１ｂ”に設定される。
【００７８】
図９Ａは、ディスクが図８Ａの状態であるとき、新たにデータを記録するために二つの開放型ＳＲＲがさらに開放型セッション＃２に予約される段階４を示す。このため、新たに生成された開放型ＳＲＲは、開放型空きＳＲＲ＃２および＃３であり、太い矢印により示されるＮＷＡをそれぞれ有する。結果的に、開放型セッション＃２は、空きＳＲＲ＃２および＃３、並びにインビジブルＳＲＲ＃４より成る。
【００７９】
図９Ｂは、図９Ａのディスク状態に関連するディスク記録状態（ＳＲＲＩ）を記録する処理を説明する。ＳＲＲＩは、３番目に記録されるＳＲＲＩであるため、ＳＲＲＩはＳＲＲＩ＃３（６０ｃ）と命名される。ＳＲＲＩ＃３（６０ｃ）は、ＴＤＭＡ０においてＳＲＲＩ＃２（６０ｂ）に隣り合って記録される。図９Ａのディスク状態を記録するために、ディスクの全領域は、三つの開放型ＳＲＲ（ＳＲＲ＃２、＃３、＃４）および一つの閉鎖型ＳＲＲ（ＳＲＲ＃１）を有するため、開放型ＳＲＲのＳＲＲ番号（ＳＲＲ＃２、＃３および＃４）が、ＳＲＲＩ＃３の”開放型ＳＲＲの一覧”フィールド５２ｃに記録される。四つの全てのＳＲＲ（ＳＲＲ＃１−＃４）に関する情報は、ＳＲＲＩ＃３の”ＳＲＲエントリの一覧”フィールド３０ｃに、ＳＲＲエントリ３５ｄ−３５ｇとしてそれぞれ記録される。
【００８０】
このため、新たに生成されたＳＲＲ＃２、＃３、および＃４に関する情報が、ＳＲＲＩ＃３（６０ｃ）に記録され、ユーザデータはまだＳＲＲ＃２、＃３および＃４に記録されていないため、対応ＳＲＲエントリ３５ｅ、３５ｆ、３５ｇのＰ＿ｆｌａｇは、”１ｂ”に設定される。しかしながら、ＳＲＲ＃３および＃４は開放型セッション＃２の開始ＳＲＲではなく、ＳＲＲ＃２はセッションの開始ＳＲＲであるため、ＳＲＲ＃２エントリ３５ｅ、ＳＲＲ＃３エントリ３５ｆ、およびＳＲＲ＃４エントリ３５ｇのＳ＿ｆｌａｇは、それぞれ”１ｂ”、”０ｂ”、および”０ｂ”である。
【００８１】
図１０Ａは、図９Ａの空きＳＲＲ＃２、およびインビジブルＳＲＲ＃４にユーザデータが記録される段階５を示す。このため、最初の空きＳＲＲ＃２は、部分記録ＳＲＲ＃２に変わり、インビジブルＳＲＲ＃４は、未完了ＳＲＲ＃４に変わるが、２番目の開放型空きＳＲＲ＃３は、変わらない。ＳＲＲ＃２は、パディングすることなくユーザデータで記録される。ＳＲＲ＃４は、ユーザデータで記録され、かつ、パディングデータによりパディングもされる。ＳＲＲ＃４のパディングされたセクタにおいて、Ｐａｄｄｉｎｇ＿ｆｌａｇは、”１ｂ”に設定される。
【００８２】
図１０Ｂは、図１０Ａのディスク状態に関連するディスク記録状態（ＳＲＲＩ）を記録する処理を説明する。このＳＲＲＩは、４番目に記録されるＳＲＲＩであるため、ＳＲＲＩ＃４（６０ｄ）と命名される。ＳＲＲＩ＃４（６０ｄ）は、ＳＲＲＩ＃３（６０ｃ）の次に記録される。図１０Ａのディスク状態を記録するために、ディスクの全体の領域は、三つの開放型ＳＲＲ（ＳＲＲ＃２−＃４）および一つの閉鎖型ＳＲＲ（ＳＲＲ＃１）を有するため、開放型ＳＲＲのＳＲＲ番号（ＳＲＲ＃２−＃４）が、ＳＲＲＩ＃４（６０ｄ）の”開放型ＳＲＲの一覧”フィールド５２ｄに記録される。四つの全てのＳＲＲ（ＳＲＲ＃１−＃４）に関する情報が、ＳＲＲＩ＃４（６０ｄ）の”ＳＲＲエントリの一覧”フィールド３０ｄに、それぞれＳＲＲエントリ３５ｈ−３５ｋとして記録される。
【００８３】
この段階において、ＳＲＲエントリの番号および開放型ＳＲＲの位置は、図９Ｂの場合と同様であるが、特定の開放型ＳＲＲにユーザデータが記録されるため、このような記録が行われた開放型ＳＲＲエントリのＬＲＡ情報は変更されて、Ｐ＿ｆｌａｇの値も変わる。換言すると、記録が行われたＳＲＲ＃２、および＃４に関する情報が更新される。ＳＲＲ＃２は、パディングなしにユーザデータが記録されるため、ＳＲＲ＃２エントリ３５ｉのＰ＿ｆｌａｇは、”０ｂ”として保持される。ＳＲＲ＃４は、ユーザデータが記録され、パディングされるため、ＳＲＲ＃４エントリ３５ｋのＰ＿ｆｌａｇは、”１ｂ”に変わる。また、セッション＃２の状態は変わらないため、ＳＲＲエントリ３５ｈ−３５ｋのＳ＿ｆｌａｇは、図９ＢのＳＲＲエントリのものと同様である。
【００８４】
図１１Ａは、ディスクが図１０Ａの状態であるとき、セッション閉鎖指令が受信されて実行される段階６を示す。結果的に、図１１Ａに示すように、開放型セッションであったセッション＃２は閉鎖型セッション＃２に変わり、セッション＃２の全てのＳＲＲも閉じられて閉鎖型ＳＲＲ＃２−＃４となる。特に、開放型ＳＲＲのさらなる記録可能な部分がダミーデータによりパディングされて閉じられる。開放型ＳＲＲの全体のさらに記録可能な部分が、ダミーデータによりパディングされて閉じられる。このことは、単なる選択肢に過ぎないということは上述した通りである。また、パディングが行われるとき、特定のデータ（例えば、文字コードとしての”ＣＬＳＤ”）が上述したようにパディングデータとして記録可能である。
【００８５】
以前に開放型ＳＲＲであったＳＲＲ＃２、＃３、および＃４は、閉鎖型部分記録ＳＲＲ＃２、閉鎖型空きＳＲＲ＃３、および完了ＳＲＲ＃４に変更されて、これは、閉鎖型セッション＃２を構成する。ＳＲＲ＃２、および＃３において、さらなる記録可能な領域が残るが、閉鎖指令により閉鎖型ＳＲＲに変わる。ここで、一部は、代わりにダミーデータによりパディングされる。このため、ダミーデータによりパディングされたクラスタ／ＳＲＲの全てのセクタ（例えば、図４Ｂ）は、Ｐａｄｄｉｎｇ＿ｆｌａｇ＝１ｂに設定される。しかしながら、この場合にも、ＳＲＲエントリに記録されたＬＲＡは、ユーザデータが実際に記録された終了位置を意味する。ダミーデータ部分は、上述したように、ＬＲＡ位置の判定に影響しない。残りの最も外側のＳＲＲ＃５は、インビジブルＳＲＲ＃５であり、これは、さらに新たな開放型セッション＃３を形成する。
【００８６】
図１１Ｂは、図１１Ａのディスク状態に関連するディスク記録状態（ＳＲＲＩ）を記録する処理を説明する。このＳＲＲＩは、管理領域に５番目に記録されるＳＲＲＩであるため、ＳＲＲＩ＃５（６０ｅ）と命名される。ＳＲＲＩ＃５（６０ｅ）は、ＴＤＭＡ０においてＳＲＲＩ＃４（６０ｄ）に続いて記録される。図１１Ａのディスク状態を記録するために、ディスクの全体の領域は、一つの開放型ＳＲＲ（ＳＲＲ＃５）および四つの閉鎖型ＳＲＲ（ＳＲＲ＃１−＃４）を有するため、開放型ＳＲＲ（ＳＲＲ＃５）のＳＲＲ番号がＳＲＲＩ＃５の”開放型ＳＲＲの一覧”フィールド５２ｅに記録され、ＳＲＲＩ＃４に記録された以前の開放型ＳＲＲ番号（例えば、図１０ＢのＳＲＲ＃２、＃３、および＃４）は、現在の開放型ＳＲＲ一覧５２ｅから除去される。”開放型ＳＲＲの一覧”フィールドからＳＲＲを除去することは、そのＳＲＲが閉鎖されることを意味する。五つの全てのＳＲＲ（ＳＲＲｓ＃１−＃５）に関する情報が、ＳＲＲＩ＃５の”ＳＲＲエントリの一覧”フィールド３０ｅに、それぞれＳＲＲエントリ３５ｌ−３５ｐとして記録される。
【００８７】
ＳＲＲ＃２、および＃３は、閉鎖指令に応答してダミーデータによりパディングされるため、ＳＲＲ＃２エントリ３５ｍ、およびＳＲＲ＃３エントリ３５ｎのＰ＿ｆｌａｇは、”１ｂ”に変更されて、対応ＳＲＲの少なくとも一部がパディングデータとしてパディングされたことを示す。ＳＲＲエントリのＬＲＡは、ユーザデータが実際に記録される終了位置であるため、ＳＲＲ＃２−＃４のＬＲＡは、ＳＲＲＩ＃４（６０ｄ）に記録された以前のＬＲＡと同じ値を有する。
【００８８】
また、新たに生成されたインビジブルＳＲＲ＃５には、ユーザデータがまだ記録されていないので、ＳＲＲ＃５エントリ３５ｐのＰ＿ｆｌａｇは、”０ｂ”に設定される。ＳＲＲ＃５は、新たなセッション＃３の開始ＳＲＲであるため、ＳＲＲ＃５エントリ３５ｐのＳ＿ｆｌａｇは”、１ｂ”に設定される。
【００８９】
図７Ａないし図１１Ｂから明らかなように、ＳＲＲＩは、現在のディスクの記録状態を表す情報である。ディスクが記録／再生装置にロードされるとき、記録／再生装置は、管理領域に最後に記録された直近のＳＲＲＩ（上記の例においては、ＳＲＲＩ＃５である）を調査し、これによりディスク上の記録可能な領域／ＳＲＲの位置を含む現在のディスクの記録状態を正確に把握する。このため、ディスクの開放型セッションの記録可能な領域に望んだユーザデータが記録可能である。
【００９０】
図１２は、本発明による光ディスク記録／再生装置を説明する。この装置、またはその他の好適な装置、若しくはシステムが、本明細書に開示される本発明のディスク、および／またはＳＲＲＩ構造および方法を実施するために用いられる。
【００９１】
図１２を参照すると、光ディスク記録／再生装置は、光ディスクにデータを記録し、および／または光ディスクからデータを再生するための記録／再生ユニット１０と、記録／再生ユニット１０を制御するための制御器２０を含む。記録／再生装置の全ての構成要素は、有効に結合される。制御器２０は、ディスク上のＳＲＲ／セッションなどの特別記録領域に対する記録、および／または再生を行うための指令を、記録／再生ユニット１０に伝える。記録／再生ユニット１０は、制御器２０の指令にしたがって、ディスクにデータを記録し、および／またはディスクからデータを再生する。
【００９２】
記録／再生ユニット１０は、インターフェースユニット１２、ピックアップユニット１１、データプロセッサ１３、サーボユニット１４、メモリ１５、およびマイコン１６を含む。インターフェースユニット１２は、制御器２０などの外部装置と通信する。ピックアップユニット１１は、光ディスクに直接データを記録し、または光ディスクから直接的にデータを再生する。データプロセッサ１３は、ピックアップユニット１１から再生信号を受信し、選択された信号を復元し、信号を光ディスクに適宜に変調して、この信号を送る。サーボユニット１４は、ピックアップユニット１１を制御して光ディスクから信号を読み出し、または光ディスクに信号を記録する。メモリ１５は、データ、およびこの明細書中に記載された管理情報を含む各種の情報を一時的に格納する。マイコン１６は、記録／再生ユニット１０の構成要素を制御する。図１２に示す記録／再生装置は、パディング動作を選択的に行うことができるので、設計者は、記録／再生装置を一層自由に設計することができる。記録／再生ユニット１０は、パディング動作中に特定のデータを自動的に格納することができる。
【００９３】
光ディスク上のデータを記録し、および再生する方法は、大きく二つに分類できる。一つは、図４Ａないし図１１Ｂの場合であって、開放型ＳＲＲにデータを完全に記録し、ＬＲＡを含むクラスタの残りのセクタを強制的にパディングし、残りのセクタにパディングが行われたか否かを識別する情報、またはクラスタをパディングすべきであるか否かを判定する情報を記録し、ＳＲＲを閉じるときにパディングにしたがってパディング識別情報を記録する方法を含む。
【００９４】
もう一方は、セッションが閉じられるとき、セッションの全てのＳＲＲを閉じる方法である。あるセッションと隣り合うセッションとの間には、特別のバッファ領域が与えられていない。セッションの開始位置（すなわち、セッション開始ＳＲＲ）は、Ｓ＿ｆｌａｇなどのセッション識別情報により識別される。
【００９５】
以下、本発明の実施形態による光ディスクの記録／再生方法について詳述する。ＢＤ−ＷＯなどの光ディスクが、図１２に示すように記録／再生装置にロードされると、直近のＳＲＲＩがＴＤＭＡに記録された直近のディスク管理情報として読み取られる。また、直近のＳＲＲＩに記録されたＳＲＲＩヘッダ、およびＳＲＲエントリは読み取られ、記録／再生ユニット１０のメモリ１５に一時的に格納される。
【００９６】
格納されたＳＲＲＩは、直近のディスク記録状態を表す。開放型ＳＲＲは、ＳＲＲＩヘッダ情報により識別可能である。ＳＲＲエントリによりデータがディスクの全体領域に記録でき、または非記録状態、および開放型セッションの存否と位置を調査できる。また、ＳＲＲがパディングデータによりパディングされたか否かが識別可能である。これらの全ての情報は、光ディスクが記録し、再生するときに用いられる。
【００９７】
データ（例えば、ユーザデータ）が特定の開放型ＳＲＲに記録される。データが開放型ＳＲＲに完全に記録されると、ＬＲＡを含むクラスタの非記録セクタは、ダミーデータによりパディングされ（例えば、安定性および堅牢性のために）、パディング識別情報Ｐａｄｄｉｎｇ＿ｆｌａｇは、”１ｂ”に設定される。パディングされたセクタのそれぞれに対し、各セクタに対応するＰａｄｄｉｎｇ＿ｆｌａｇは、”１ｂ”に設定される。セクタがパディングされなければ、対応Ｐａｄｄｉｎｇ＿ｆｌａｇは、”０ｂ”に設定される。また、ＳＲＲＩのＳＲＲエントリが更新されるとき、ＳＲＲ状態情報Ｐ＿ｆｌａｇは、”１ｂ”に設定され、対応ＳＲＲはパディングされた部分を少なくとも有することを示す。
【００９８】
また、セッションの全てのＳＲＲが、制御器２０のセッション閉鎖指令により閉じられる場合、および対応ＳＲＲだけが制御器２０のＳＲＲ閉鎖指令により閉じられる場合、マイコン１６は閉鎖型ＳＲＲの記録可能な領域（例えば、あるクラスタ）が、パディング後に、またはパディングなしで閉じられるかどうかを選択することができる。上記の場合、設計者は、記録／再生ユニット１０がＳＲＲをパディングデータにより自動的にパディングし、制御器２０からのパディング指令なしで無条件にＳＲＲを閉じるように設計可能である。このような機能は、記録／再生ユニット１０による”自動パディング機能”と呼ばれる。自動パディング機能は、記録／再生ユニット１０が、パディング指令によりダミーデータを受信し、ＳＲＲをパディングする場合に比べて、パディングの動作時間を短くする上で一層有利になる。
【００９９】
また、ＳＲＲ状態が、上述したように、パディングにより変更されると、Ｐａｄｄｉｎｇ＿ｆｌａｇは、それぞれのパディングされたセクタによって１ｂに設定される。さらに、Ｐ＿ｆｌａｇは、対応ＳＲＲエントリにおいて１ｂに設定される。異なる記録／再生装置は、このような情報を用いることができる。また、新たな開放型セッションの開始ＳＲＲに関しては、Ｓ＿ｆｌａｇが、対応ＳＲＲエントリにおいて１ｂに設定され、開放型セッションの開始位置を示す。
【０１００】
このため、本発明により定義されるように、ＳＲＲの類型および定義、並びに定義されたＳＲＲの類型および定義にしたがって、ＳＲＲＩを記録する方法が提供される。これにより、望んだ機能を有する各種の記録／再生装置が、このディスクにアクセスするために使用可能である。
【０１０１】
本発明による追記型光ディスクの管理情報を記録する方法は、新たなＳＲＲの類型、およびセッションの類型を定義するものを含む。開放型ＳＲＲがパディングされるか、またはＳＲＲがパディングにより閉じられると、パディング識別情報Ｐａｄｄｉｎｇ＿ｆｌａｇは、パディングされた領域に適宜に設定され、記録される。他のパディング識別情報Ｐ＿ｆｌａｇ、およびセッション識別情報Ｓ＿ｆｌａｇは、ＳＲＲエントリに記録される。その結果、新たな物理構造を有する追記可能型光ディスクにおいて、管理情報が効率よく記録されて管理が可能になる。
【０１０２】
本発明の種々なる変更、および変形が行われてもよいことは当業者には自明である。よって、特許請求の範囲、およびその均等の範囲内にあるという条件で、本発明はこのような変更および変形をカバーするものとして考慮される。
【図面の簡単な説明】
【０１０３】
【図１】本発明による追記型光ディスクの全体の構造、および追記型光ディスクに管理情報を記録する方法を説明する図である。
【図２Ａ】本発明による追記型光ディスクの、開放型ＳＲＲのさまざまな類型を説明する図である。
【図２Ｂ】本発明による追記型光ディスクの、開放型ＳＲＲのさまざまな類型を説明する図である。
【図２Ｃ】本発明による追記型光ディスクの、開放型ＳＲＲのさまざまな類型を説明する図である。
【図２Ｄ】本発明による追記型光ディスクの、開放型ＳＲＲのさまざまな類型を説明する図である。
【図３Ａ】本発明による追記型光ディスクの、閉鎖型ＳＲＲのさまざまな類型を説明する図である。
【図３Ｂ】本発明による追記型光ディスクの、閉鎖型ＳＲＲのさまざまな類型を説明する図である。
【図３Ｃ】本発明による追記型光ディスクの、閉鎖型ＳＲＲのさまざまな類型を説明する図である。
【図３Ｄ】本発明による追記型光ディスクの、閉鎖型ＳＲＲのさまざまな類型を説明する図である。
【図３Ｅ】本発明による追記型光ディスクの、閉鎖型ＳＲＲのさまざまな類型を説明する図である。
【図４Ａ】本発明による追記型光ディスクの閉鎖型ＳＲＲにダミーデータをパディングする場合に、識別情報をパディングする一例を説明する図である。
【図４Ｂ】本発明による追記型光ディスクの開放型ＳＲＲにダミーデータをパディングする場合に、識別情報をパディングする一例を説明する図である。
【図４Ｃ】本発明による追記型光ディスクのセッションの一例を説明する図である。
【図５】本発明による追記型光ディスクの全体の構造、およびディスク管理情報としてＳＲＲＩを記録する方法を説明する図である。
【図６Ａ】本発明によるＳＲＲＩに記録されるＳＲＲエントリ一覧の構造を説明する図である。
【図６Ｂ】本発明による図６ＡのＳＲＲエントリ一覧に記録されるＳＲＲエントリの一例を説明する図である。
【図６Ｃ】本発明によるＳＲＲＩの開放型ＳＲＲフィールド一覧の構造の一例を説明する図である。
【図７Ａ】本発明による追記型光ディスクにおいて、ディスク記録状態にしたがってＳＲＲＩを記録する処理を説明する図である。
【図７Ｂ】本発明による追記型光ディスクにおいて、ディスク記録状態にしたがってＳＲＲＩを記録する処理を説明する図である。
【図７Ｃ】本発明による追記型光ディスクにおいて、ディスク記録状態にしたがってＳＲＲＩを記録する処理を説明する図である。
【図８Ａ】本発明による追記型光ディスクにおいて、ディスク記録状態にしたがってＳＲＲＩを記録する処理を説明する図である。
【図８Ｂ】本発明による追記型光ディスクにおいて、ディスク記録状態にしたがってＳＲＲＩを記録する処理を説明する図である。
【図９Ａ】本発明による追記型光ディスクにおいて、ディスク記録状態にしたがってＳＲＲＩを記録する処理を説明する図である。
【図９Ｂ】本発明による追記型光ディスクにおいて、ディスク記録状態にしたがってＳＲＲＩを記録する処理を説明する図である。
【図１０Ａ】本発明による追記型光ディスクにおいて、ディスク記録状態にしたがってＳＲＲＩを記録する処理を説明する図である。
【図１０Ｂ】本発明による追記型光ディスクにおいて、ディスク記録状態にしたがってＳＲＲＩを記録する処理を説明する図である。
【図１１Ａ】本発明による追記型光ディスクにおいて、ディスク記録状態にしたがってＳＲＲＩを記録する処理を説明する図である。
【図１１Ｂ】本発明による追記型光ディスクにおいて、ディスク記録状態にしたがってＳＲＲＩを記録する処理を説明する図である。
【図１２】本発明の一実施形態による追記型光ディスク用記録／再生装置を説明する図である。
【図１】
2007505433.tif 000003
【図２Ａ】
2007505433.tif 000004
【図２Ｂ】
2007505433.tif 000005
【図２Ｃ】
2007505433.tif 000006
【図２Ｄ】
2007505433.tif 000007
【図３Ａ】
2007505433.tif 000008
【図３Ｂ】
2007505433.tif 000009
【図３Ｃ】
2007505433.tif 000010
【図３Ｄ】
2007505433.tif 000011
【図３Ｅ】
2007505433.tif 000012
【図４Ａ】
2007505433.tif 000013
【図４Ｂ】
2007505433.tif 000014
【図４Ｃ】
2007505433.tif 000015
【図５】
2007505433.tif 000016
【図６Ａ】
2007505433.tif 000017
【図６Ｂ】
2007505433.tif 000018
【図６Ｃ】
2007505433.tif 000019
【図７Ａ】
2007505433.tif 000020
【図７Ｂ】
2007505433.tif 000021
【図７Ｃ】
2007505433.tif 000022
【図８Ａ】
2007505433.tif 000023
【図８Ｂ】
2007505433.tif 000024
【図９Ａ】
2007505433.tif 000025
【図９Ｂ】
2007505433.tif 000026
【図１０Ａ】
2007505433.tif 000027
【図１０Ｂ】
2007505433.tif 000028
【図１１Ａ】
2007505433.tif 000029
【図１１Ｂ】
2007505433.tif 000030
【図１２】
2007505433.tif 000031
【国際調査報告】
2007505433.tif 000032
2007505433.tif 000033